(57)【要約】【課題】電子鍵盤楽器におけるタッチ感の変化を少なくすること【解決手段】鍵盤装置は、フレームに対して回動可能に配置された鍵と、鍵の回動に応じて、回動可能に配置されたハンマと、第１部材と、鍵の回動に応じてハンマが回動するときに第１部材と摺動して、当該第１部材上を移動するように配置された第２部材と、第１部材と接続して第２部材が第１部材から所定距離以上離れないようにガイドする第３部材であって、第１部材と第２部材とが接触するときの第１接触面積より、第２部材と第３部材とが接触するときの第２接触面積が小さくなる形状を有する第３部材と、を備えることを特徴とする。【選択図】図５
2018013708.tif 000002
【特許請求の範囲】
【請求項１】
フレームに対して回動可能に配置された鍵と、
前記鍵の回動に応じて、回動可能に配置されたハンマアセンブリと、
第１部材と、
前記鍵の回動に応じて前記ハンマアセンブリが回動するときに前記第１部材と摺動して、当該第１部材上を移動するように配置された第２部材と、
前記第１部材と接続して前記第２部材が前記第１部材から所定距離以上離れないようにガイドする第３部材であって、前記第１部材と前記第２部材とが接触するときの第１接触面積より、前記第２部材と前記第３部材とが接触するときの第２接触面積が小さくなる形状を有する第３部材と、
を備えることを特徴とする鍵盤装置。
【請求項２】
前記第２部材は、前記第３部材側において前記第２部材の移動方向に沿った線状の突出部を含むことを特徴とする請求項１に記載の鍵盤装置。
【請求項３】
前記第２部材は、複数の前記突出部を含むことを特徴とする請求項２に記載の鍵盤装置。
【請求項４】
前記第３部材は、前記第２部材側において前記第２部材の移動方向に沿った線状の突出部を含むことを特徴とする請求項１に記載の鍵盤装置。
【請求項５】
前記第３部材は、複数の前記突出部を含むことを特徴とする請求項４に記載の鍵盤装置。
【請求項６】
前記第３部材は、前記鍵の回動に応じて前記ハンマアセンブリが回動するときに前記第２部材と摺動することを特徴とする請求項１乃至請求項５のいずれかに記載の鍵盤装置。
【請求項７】
前記第１部材および前記第２部材はいずれか一方が前記鍵に、他方が前記ハンマアセンブリに接続されていることを特徴とする請求項１乃至請求項６のいずれかに記載の鍵盤装置。
【発明の詳細な説明】
【技術分野】
【０００１】
本発明は、鍵盤装置に関する。
【背景技術】
【０００２】
アコースティックピアノにおいては、アクション機構の動作により、鍵を通して演奏者の指に所定の感覚（以下、タッチ感という）を与える。アコースティックピアノにおいては、ハンマでの打弦のためにアクション機構を必要とする。一方、電子鍵盤楽器においては、センサにより押鍵を検出するため、アコースティックピアノのようなアクション機構を有しなくても発音が可能である。アクション機構を用いない電子鍵盤楽器および簡易的なアクション機構を用いた電子鍵盤楽器のタッチ感は、アコースティックピアノのタッチ感に対して大きく変わってしまう。そこで、電子鍵盤楽器において、少しでもアコースティックピアノに近いタッチ感を得るために、アコースティックピアノにおけるハンマに相当する機構を設ける技術が開示されている（例えば、特許文献１）。この技術によれば、鍵の動きをハンマに伝達する部分において、互いに摺動する機構が用いられる。
【先行技術文献】
【特許文献】
【０００３】
【特許文献１】特開２００４−２２６６８７号公報
【発明の概要】
【発明が解決しようとする課題】
【０００４】
上記技術の摺動機構においては、対向する２つの板部が鍵側に設けられ、２つの板部の間に挿入されて摺動する当接部がハンマ側に設けられている。このような構造である場合、板部間の距離と当接部の大きさとの関係が設計値からずれてしまうと、摺動時の抵抗力が大きく変化する。その結果として、タッチ感（特に、押鍵に対する負荷の大きさ）が変化してしまうため、各部材のサイズは厳密に制御される必要がある。
【０００５】
本発明の目的の一つは、電子鍵盤楽器におけるタッチ感の予期しない変化を少なくすることにある。
【課題を解決するための手段】
【０００６】
本発明の実施形態によると、フレームに対して回動可能に配置された鍵と、前記鍵の回動に応じて、回動可能に配置されたハンマアセンブリと、第１部材と、前記鍵の回動に応じて前記ハンマアセンブリが回動するときに前記第１部材と摺動して、当該第１部材上を移動するように配置された第２部材と、前記第１部材と接続して前記第２部材が前記第１部材から所定距離以上離れないようにガイドする第３部材であって、前記第１部材と前記第２部材とが接触するときの第１接触面積より、前記第２部材と前記第３部材とが接触するときの第２接触面積が小さくなる形状を有する第３部材と、を備えることを特徴とする鍵盤装置が提供される。
【０００７】
前記第２部材は、前記第３部材側において前記第２部材の移動方向に沿った線状の突出部を含んでもよい。
【０００８】
前記第２部材は、複数の前記突出部を含んでもよい。
【０００９】
前記第３部材は、前記第２部材側において前記第２部材の移動方向に沿った線状の突出部を含んでもよい。
【００１０】
前記第３部材は、複数の前記突出部を含んでもよい。
【００１１】
前記第３部材は、前記鍵の回動に応じて前記ハンマアセンブリが回動するときに前記第２部材と摺動してもよい。
【００１２】
前記第１部材および前記第２部材はいずれか一方が前記鍵に、他方が前記ハンマに接続されていてもよい。
【発明の効果】
【００１３】
本発明によれば、電子鍵盤楽器におけるタッチ感の予期しない変化を少なくすることができる。
【図面の簡単な説明】
【００１４】
【図１】第１実施形態における鍵盤装置の構成を示す図である。
【図２】第１実施形態における音源装置の構成を示すブロック図である。
【図３】第１実施形態における筐体内部の構成を側面から見た場合の説明図である。
【図４】第１実施形態における負荷発生部（鍵側負荷部およびハンマ側負荷部）の説明図である。
【図５】第１実施形態における摺動面形成部の構造を説明する図である。
【図６】第１実施形態における弾性体の弾性変形（強打時）を説明する図である。
【図７】第１実施形態における弾性体の弾性変形（弱打時）を説明する図である。
【図８】第１実施形態における鍵（白鍵）を押下したときの鍵アセンブリの動作を説明する図である。
【図９】第２実施形態における下部材に設けられた突出部の形状の例を説明する図である。
【図１０】第３実施形態における移動部材に設けられた突出部の形状の第１の例を説明する図である。
【図１１】第３実施形態における移動部材に設けられた突出部の形状の第２の例を説明する図である。
【図１２】第３実施形態における移動部材に設けられた突出部の形状の第３の例を説明する図である。
【図１３】第４実施形態における下部材に設けられた突出部と移動部材との関係を説明する図である。
【図１４】第５実施形態における移動部材に設けられた突出部と下部材との関係を説明する図である。
【図１５】第６実施形態における鍵盤アセンブリの鍵とハンマとの接続関係を模式的に説明する図である。
【発明を実施するための形態】
【００１５】
以下、本発明の一実施形態における鍵盤装置について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００１６】
＜第１実施形態＞
［鍵盤装置の構成］
図１は、第１実施形態における鍵盤装置の構成を示す図である。鍵盤装置１は、この例では、電子ピアノなどユーザ（演奏者）の押鍵に応じて発音する電子鍵盤楽器である。なお、鍵盤装置１は、外部の音源装置を制御するための制御データ（例えば、ＭＩＤＩ）を、押鍵に応じて出力する鍵盤型のコントローラであってもよい。この場合には、鍵盤装置１は、音源装置を備えていなくてもよい。
【００１７】
鍵盤装置１は、鍵盤アセンブリ１０を備える。鍵盤アセンブリ１０は、白鍵１００ｗおよび黒鍵１００ｂを含む。複数の白鍵１００ｗと黒鍵１００ｂとが並んで配列されている。鍵１００の数は、Ｎ個であり、この例では８８個である。この配列された方向をスケール方向という。白鍵１００ｗおよび黒鍵１００ｂを特に区別せずに説明できる場合には、鍵１００という場合がある。以下の説明においても、符号の最後に「ｗ」を付した場合には、白鍵に対応する構成であることを意味している。また、符号の最後に「ｂ」を付した場合には、黒鍵に対応する構成であることを意味している。
【００１８】
鍵盤アセンブリ１０の一部は、筐体９０の内部に存在している。鍵盤装置１を上方から見た場合において、鍵盤アセンブリ１０のうち筐体９０に覆われている部分を非外観部ＮＶといい、筐体９０から露出してユーザから視認できる部分を外観部ＰＶという。すなわち、外観部ＰＶは、鍵１００の一部であって、ユーザによって演奏操作が可能な領域を示す。以下、鍵１００のうち外観部ＰＶによって露出されている部分を鍵本体部という場合がある。
【００１９】
筐体９０内部には、音源装置７０およびスピーカ８０が配置されている。音源装置７０は、鍵１００の押下に伴って音波形信号を生成する。スピーカ８０は、音源装置７０において生成された音波形信号を外部の空間に出力する。なお、鍵盤装置１は、音量をコントロールするためのスライダ、音色を切り替えるためのスイッチ、様々な情報を表示するディスプレイなどが備えられていてもよい。
【００２０】
なお、本明細書における説明において、上、下、左、右、手前および奥などの方向は、演奏するときの演奏者から鍵盤装置１を見た場合の方向を示している。そのため、例えば、非外観部ＮＶは、外観部ＰＶよりも奥側に位置している、と表現することができる。また、鍵前端側（鍵前方側）、鍵後端側（鍵後方側）のように、鍵１００を基準として方向を示す場合もある。この場合、鍵前端側は鍵１００に対して演奏者から見た手前側を示す。鍵後端側は鍵１００に対して演奏者から見た奥側を示す。この定義によれば、黒鍵１００ｂのうち、黒鍵１００ｂの鍵本体部の前端から後端までが、白鍵１００ｗよりも上方に突出した部分である、と表現することができる。
【００２１】
図２は、第１実施形態における音源装置の構成を示すブロック図である。音源装置７０は、信号変換部７１０、音源部７３０および出力部７５０を備える。センサ３００は、各鍵１００に対応して設けられ、鍵の操作を検出し、検出した内容に応じた信号を出力する。この例では、センサ３００は、３段階の押鍵量に応じて信号を出力する。この信号の間隔に応じて押鍵速度が検出可能である。
【００２２】
信号変換部７１０は、センサ３００（８８の鍵１００に対応したセンサ３００−１、３００−２、・・・、３００−８８）の出力信号を取得し、各鍵１００における操作状態に応じた操作信号を生成して出力する。この例では、操作信号はＭＩＤＩ形式の信号である。そのため、押鍵操作に応じて、信号変換部７１０はノートオンを出力する。このとき、８８個の鍵１００のいずれが操作されたかを示すキーナンバ、および押鍵速度に対応するベロシティについてもノートオンに対応付けて出力される。一方、離鍵操作に応じて、信号変換部７１０はキーナンバとノートオフとを対応付けて出力する。信号変換部７１０には、ペダル等の他の操作に応じた信号が入力され、操作信号に反映されてもよい。
【００２３】
音源部７３０は、信号変換部７１０から出力された操作信号に基づいて、音波形信号を生成する。出力部７５０は、音源部７３０によって生成された音波形信号を出力する。この音波形信号は、例えば、スピーカ８０または音波形信号出力端子などに出力される。
【００２４】
［鍵盤アセンブリの構成］
図３は、第１実施形態における筐体内部の構成を側面から見た場合の説明図である。図３に示すように、筐体９０の内部において、鍵盤アセンブリ１０およびスピーカ８０が配置されている。すなわち、筐体９０は、少なくとも、鍵盤アセンブリ１０の一部（接続部１８０およびフレーム５００）およびスピーカ８０を覆っている。スピーカ８０は、鍵盤アセンブリ１０の奥側に配置されている。このスピーカ８０は、押鍵に応じた音を筐体９０の上方および下方に向けて出力するように配置されている。下方に出力される音は、筐体９０の下面側から外部に進む。一方、上方に出力される音は筐体９０の内部から鍵盤アセンブリ１０の内部の空間を通過して、外観部ＰＶにおける鍵１００の隣接間の隙間または鍵１００と筐体９０との隙間から外部に進む。なお、鍵盤アセンブリ１０の内部の空間、すなわち鍵１００（鍵本体部）の下方側の空間に到達する、スピーカ８０からの音の経路は、経路ＳＲとして例示されている。
【００２５】
鍵盤アセンブリ１０の構成について、図３を用いて説明する。鍵盤アセンブリ１０は、上述した鍵１００の他にも、接続部１８０、ハンマアセンブリ２００およびフレーム５００を含む。鍵盤アセンブリ１０は、ほとんどの構成が射出成形などによって製造された樹脂製の構造体である。フレーム５００は、筐体９０に固定されている。接続部１８０は、フレーム５００に対して回動可能に鍵１００を接続する。接続部１８０は、板状可撓性部材１８１、鍵側支持部１８３および棒状可撓性部材１８５を備える。板状可撓性部材１８１は、鍵１００の後端から延在している。鍵側支持部１８３は、板状可撓性部材１８１の後端から延在している。棒状可撓性部材１８５が、鍵側支持部１８３およびフレーム５００のフレーム側支持部５８５によって支持されている。すなわち、鍵１００とフレーム５００との間に、棒状可撓性部材１８５が配置されている。棒状可撓性部材１８５が曲がることによって、鍵１００がフレーム５００に対して回動することができる。棒状可撓性部材１８５は、鍵側支持部１８３とフレーム側支持部５８５とに対して、着脱可能に構成されている。なお、棒状可撓性部材１８５は、鍵側支持部１８３とフレーム側支持部５８５と一体となって、または接着等により、着脱できない構成であってもよい。
【００２６】
鍵１００は、前端鍵ガイド１５１および側面鍵ガイド１５３を備える。前端鍵ガイド１５１は、フレーム５００の前端フレームガイド５１１を覆った状態で摺動可能に接触している。前端鍵ガイド１５１は、その上部と下部のスケール方向の両側において、前端フレームガイド５１１と接触している。側面鍵ガイド１５３は、スケール方向の両側において側面フレームガイド５１３と摺動可能に接触している。この例では、側面鍵ガイド１５３は、鍵１００の側面のうち非外観部ＮＶに対応する領域に配置され、接続部１８０（板状可撓性部材１８１）よりも鍵前端側に存在するが、外観部ＰＶに対応する領域に配置されてもよい。
【００２７】
また、鍵１００は、外観部ＰＶの下方において鍵側負荷部１２０が接続されている。鍵側負荷部１２０は、鍵１００が回動するときに、ハンマアセンブリ２００を回動させるように、ハンマアセンブリ２００に接続される。
【００２８】
ハンマアセンブリ２００は、鍵１００の下方側の空間に配置され、フレーム５００に対して回動可能に取り付けられている。ハンマアセンブリ２００は、錘部２３０およびハンマ本体部２５０を備える。ハンマ本体部２５０には、フレーム５００の回動軸５２０の軸受となる軸支持部２２０が配置されている。軸支持部２２０とフレーム５００の回動軸５２０とは少なくとも３点で摺動可能に接触する。
【００２９】
ハンマ側負荷部２１０は、ハンマ本体部２５０の前端部に接続されている。ハンマ側負荷部２１０は、鍵側負荷部１２０の内部において概ね前後方向に摺動可能に接触する部分（後述する移動部材２１１；図４参照）を備える。この接触部分にはグリース等の潤滑剤が配置されていてもよい。ハンマ側負荷部２１０および鍵側負荷部１２０（以下の説明において、これらをまとめて「負荷発生部」という場合がある）とは、互いに摺動することで押鍵時の負荷の一部を発生する。負荷発生部は、この例では外観部ＰＶ（鍵本体部の後端よりも前方）における鍵１００の下方に位置する。負荷発生部の詳細の構造については後述する。
【００３０】
錘部２３０は、金属製の錘を含み、ハンマ本体部２５０の後端部（回動軸よりも奥側）に接続されている。通常時（押鍵していないとき）には、錘部２３０が下側ストッパ４１０に載置された状態になる。これによって、鍵１００はレスト位置で安定する。押鍵されると、錘部２３０が上方に移動し、上側ストッパ４３０に衝突する。これによって鍵１００の最大押鍵量となるエンド位置が規定される。この錘部２３０によっても、押鍵に対して負荷を与える。下側ストッパ４１０および上側ストッパ４３０は、緩衝材等（不織布、弾性体等）で形成されている。
【００３１】
負荷発生部の下方において、フレーム５００にセンサ３００が取り付けられている。押鍵によりハンマ側負荷部２１０の下面側でセンサ３００が押しつぶされると、センサ３００は検出信号を出力する。センサ３００は、上述したように、各鍵１００に対応して設けられている。
【００３２】
［負荷発生部の概要］
図４は、第１実施形態における負荷発生部（鍵側負荷部およびハンマ側負荷部）の説明図である。ハンマ側負荷部２１０は、移動部材２１１（第２部材）、リブ部２１３およびセンサ駆動部２１５（板状部材）を備える。これらの各構成はいずれも、ハンマ本体部２５０とも接続されている。移動部材２１１は、この例では略円柱形状であり、その軸がスケール方向に延びている。リブ部２１３は、移動部材２１１の下方に接続されたリブであって、この例では、その表面の法線方向がスケール方向に沿っている。センサ駆動部２１５は、リブ部２１３の下方に接続され、スケール方向に対して垂直な方向の法線の表面を有する板状部材である。すなわち、センサ駆動部２１５とリブ部２１３とは垂直の関係にある。ここで、リブ部２１３は、押鍵によって移動する方向を面内に含む。そのため、押鍵時の移動方向に対して、移動部材２１１およびセンサ駆動部２１５の強度を補強する効果を有する。ここでは、移動部材２１１に対しては、リブ部２１３およびセンサ駆動部２１５が補強材として機能する。センサ駆動部２１５に対しては、移動部材２１１およびリブ部２１３が補強材として機能する。これによって、単にリブを設けるよりも、互いに補強し合って全体として強固にすることもできる。
【００３３】
鍵側負荷部１２０は、摺動面形成部１２１を含む。この例では、摺動面形成部１２１は、内部に移動部材２１１が移動可能な空間ＳＰを形成する。空間ＳＰの上方において摺動面ＦＳが形成され、空間ＳＰの下方においてガイド面ＧＳが形成される。この例では、少なくとも摺動面ＦＳが形成される領域は、ゴム等の弾性体で形成されている。すなわち、この弾性体が露出されている。この例では、摺動面形成部１２１の全体が弾性体で形成されている。この弾性体は粘弾性を有すること、すなわち粘弾性体であることが望ましい。摺動面形成部１２１は、弾性体であるため、より変形しにくい材料、例えば剛性の高い樹脂などの剛性体に囲まれている。これによって摺動面形成部１２１の外面の形状が維持されるように支持されている。この外面は、摺動面形成部１２１における摺動面ＦＳの反対側の面を含む。なお、摺動面ＦＳから外面側の剛性体に至るまでの間は、徐々に剛性が高くなるように変化してもよい。また、この間においては、摺動面ＦＳよりも弾性変形がしやすい部材（剛性の低い部材）が含まれないことが望ましい。
【００３４】
図４においては、鍵１００がレスト位置にある場合の移動部材２１１の位置を示している。押鍵されると、移動部材２１１は、摺動面ＦＳと接触しつつ、空間ＳＰを矢印Ｄ１の方向（以下、進行方向Ｄ１という場合がある）に移動する。すなわち、移動部材２１１は摺動面ＦＳと摺動する。移動部材２１１が摺動面ＦＳに接触しながら移動することから、摺動面ＦＳは間欠摺動側、移動部材２１１は連続摺動側という場合がある。移動部材２１１もわずかに回転して接触面が移動することから、厳密には連続摺動ではないが、ほぼ連続摺動であるといえる。いずれにしても、押鍵に伴って摺動面ＦＳと移動部材２１１とが摺動する範囲において、摺動面ＦＳのうち移動部材２１１によって接触可能な全範囲は、移動部材２１１のうち摺動面ＦＳによって接触可能な全範囲よりも大きな面積となる。
【００３５】
このとき、負荷発生部全体としては、押鍵に伴い下方に移動し、センサ駆動部２１５がセンサ３００を押しつぶす。この例では、摺動面ＦＳのうち、鍵１００がレスト位置からエンド位置に回動することによって移動部材２１１が移動する範囲に、段差部１２３１が配置されている。すなわち、段差部１２３１は、初期位置（鍵１００がレスト位置にあるときの移動部材２１１の位置）から移動する移動部材２１１によって乗り越えられる。また、ガイド面ＧＳのうち段差部１２３１に対向する部分には、凹部１２３３が形成されている。凹部１２３３の存在により、移動部材２１１が段差部１２３１を乗り越えて移動しやすくなる。続いて、摺動面形成部１２１の構成について詳述する。
【００３６】
［摺動面形成部の構成］
図５は、第１実施形態における摺動面形成部の構造を説明する図である。図５（Ａ）は、上述した図４において説明した摺動面形成部１２１をより詳細に説明する図であって、その内部の構造を破線で示している。図５（Ｂ）は、摺動面形成部１２１を後方（鍵後端側）から見た場合の図である。図５（Ｃ）は、摺動面形成部１２１を上面側から見た場合の図である。図５（Ｄ）は、摺動面形成部１２１を下面側からみた見た場合の図である。図５（Ｅ）は、摺動面形成部１２１を前方（鍵前端側）から見た場合の図である。なお、移動部材２１１およびリブ部２１３が存在する領域を二点鎖線で示している。
【００３７】
摺動面形成部１２１は、上部材１２１１（第１部材）、下部材１２１３（第３部材）および側部材１２１５を備える。上部材１２１１と下部材１２１３とは側部材１２１５を介して接続されている。上述した空間ＳＰは、上部材１２１１、下部材１２１３および側部材１２１５によって囲まれている空間を示している。上部材１２１１の空間ＳＰ側の面は摺動面ＦＳである。摺動面ＦＳには、上述したように段差部１２３１が配置されている。下部材１２１３の空間ＳＰ側の面はガイド面ＧＳである。ガイド面ＧＳには、上述したように凹部１２３３が配置されている。ガイド面ＧＳは、移動部材２１１が上部材１２１１（摺動面ＦＳ）から所定距離以上に離れないように、移動部材２１１をガイドする。
【００３８】
下部材１２１３には、スリット１２５が配置されている。スリット１２５は、移動部材２１１とともに移動するリブ部２１３を通過させる。図５においては省略しているが、図４に示したように、リブ部２１３には、移動部材２１１とは反対側においてセンサ駆動部２１５が接続されている。したがって、下部材１２１３は、移動部材２１１とセンサ駆動部２１５との間に挟まれる位置関係となる。
【００３９】
下部材１２１３のガイド面ＧＳは、スリット１２５に近づくほど、摺動面ＦＳに近づくように傾斜している。すなわち、下部材１２１３は、スリット１２５に沿って（移動部２１１の進行方向Ｄ１に沿って）突出する線状の突出部１２３５を備えている。このような突出部１２３５によれば、移動部材２１１が摺動面ＦＳに接触するときの面積より、ガイド面ＧＳに接触するときの面積が小さくなる。この例では、移動部材２１１は、摺動面ＦＳに接触しているときにはガイド面ＧＳから離れ、ガイド面ＧＳに接触しているときには摺動面ＦＳから離れている。なお、移動部材２１１は、移動範囲の少なくとも一部において、摺動面ＦＳとガイド面ＧＳとの双方に接触して摺動するようになっていてもよい。また、この例では、スリット１２５の両側に突出部１２３５が設けられていたが、いずれか一方側に設けられていてもよい。
【００４０】
押鍵のときには、摺動面ＦＳから移動部材２１１に対して力が加えられる。移動部材２１１に伝達された力は、錘部２３０を上方に移動させるようにハンマアセンブリ２００を回動させる。このとき、移動部材２１１は摺動面ＦＳに押しつけられる。一方、離鍵のときには、錘部２３０が落下することによりハンマアセンブリ２００が回動し、その結果、移動部材２１１から摺動面ＦＳに対して力が加えられる。ここで、移動部材２１１は、摺動面ＦＳを形成する弾性体と比べて弾性変形しにくい部材（例えば、剛性の高い樹脂等）で形成されている。そのため、摺動面ＦＳは、移動部材２１１が押しつけられることで弾性変形する。この結果、移動部材２１１は、押しつけられる力に応じて移動に対する様々な抵抗力を受ける。この抵抗力について、図６および図７を用いて説明する。
【００４１】
図６は、第１実施形態における弾性体の弾性変形（強打時）を説明する図である。図７は、第１実施形態における弾性体の弾性変形（弱打時）を説明する図である。押鍵により、移動部材２１１が進行方向Ｄ１に移動する。このとき、移動部材２１１は、上部材１２１１の摺動面ＦＳに押しつけられるため、弾性体で形成された上部材１２１１は、弾性変形によって摺動面ＦＳが凹むように変形する。
【００４２】
移動部材２１１の表面のうち進行方向Ｄ１側（以下、移動部材２１１の前方側という場合がある）の点Ｃ１においては、上部材１２１１との摩擦力Ｆｆ１のほか、上部材１２１１から押し返される反発力Ｆｒ１が進行方向Ｄ１に対する抵抗力となる。また、移動部材２１１の表面のうち、進行方向Ｄ１とは反対側（以下、移動部材２１１の後方側という場合がある）の点Ｃ２においては、押鍵が弱いとき（弱打時）では上部材１２１１と接触する（図７）一方、押鍵が強いとき（強打時）では上部材１２１１と接触しない（図６）。
【００４３】
上部材１２１１は、移動部材２１１によって弾性変形し、移動部材２１１が通過した後は形状が復元することになる。強打時には、復元するよりも早く移動部材２１１が移動していく。そのため、移動部材２１１の後方側において、移動部材２１１と上部材１２１１とが接触しない領域が増加する。上部材１２１１の粘性の大きいほど、移動部材２１１の速さが同じでも接触しない領域が増加する。
【００４４】
なお、弱打時と強打時との違い、すなわち押鍵力の強さの違いは弾性変形の大きさに影響を与える。一方、移動部材２１１と上部材１２１１とが接触しない領域の大きさについては弱打時と強打時との違いは、詳細には移動部材２１１の移動速度が直接的な要因となる。すなわち、押鍵の力が弱くてもすでに押鍵速度が速くなっている状態であれば、移動部材２１１と上部材１２１１とが接触しない領域が増加することになる。例えば、手を振り下ろしながら押鍵するときには、押鍵の最初に大きな力が加わるものの、すぐに力が少なくなって弾性変形の量は少なくなり、移動部材２１１が等速運動に近づく。一方、移動部材２１１の移動速度は速いままであるため、上部材１２１１の粘性の影響により移動部材２１１の後方側からの力を受けにくく、前方側からの反発力Ｆｒ１の影響を大きく受けて、押鍵に対する抵抗力が得られる。
【００４５】
移動部材２１１の後方側において上部材１２１１と接触する場合には、移動部材２１１は、摩擦力Ｆｆ２のほか、反発力Ｆｒ２を受ける。摩擦力Ｆｆ２については、進行方向Ｄ１に対する抵抗力となる。一方、反発力Ｆｒ２は、進行方向Ｄ１に対しては推進力となる。また、弱打時であるほど、上部材１２１１の弾性変形の量が少ないため、反発力Ｆｒ１の大きさも少なく、全体としては移動部材２１１と上部材１２１１との接触面積も少なくなり摩擦力の大きさも低下する。このように、図６の状況と図７の状況とでは、摩擦力の違いだけでなく、反発力による影響も異なる。したがって、これらの構成によれば、押鍵の強さおよび速さによって、移動部材２１１が進行方向Ｄ１に対して受ける抵抗力を複雑に変化させることができる。移動部材２１１が受けた抵抗力は、押鍵に対して与える抵抗力ともなる。これによって、アコースティックピアノにおける押鍵の強さおよび速さに応じた、押鍵への抵抗力の変化を再現することができる。また、上部材１２１１において、加速度（押鍵力）の影響を大きく受ける弾性および速度（押鍵速度）の影響を大きく受ける粘性を調整した材質を用いることにより、押鍵への抵抗力を様々に設計することもできる。
【００４６】
なお、押鍵の強さによっては、鍵１００がエンド位置に達したときに、移動部材２１１が摺動面ＦＳにバウンドしてガイド面ＧＳに衝突する場合がある。このとき、ガイド面ＧＳの突出部１２３５が移動部材２１１によって押しつぶされるように弾性変形してもよい。突出部１２３５の存在によって、移動部材２１１とガイド面ＧＳとの接触面積（第２接触面積）は、移動部材２１１と摺動面ＦＳとの接触面積（第１接触面積）よりも小さい。接触面積が小さいために摺動面ＦＳよりもガイド面ＧＳの方が、同じ力が加わっても弾性変形しやすく、移動部材２１１がガイド面ＧＳに衝突したとしても、移動部材２１１が摺動面ＦＳに衝突するときよりは、衝突音の発生が抑えられる。
【００４７】
［鍵盤アセンブリの動作］
図８は、第１実施形態における鍵（白鍵）を押下したときの鍵アセンブリの動作を説明する図である。図８（Ａ）は、鍵１００がレスト位置（押鍵していない状態）にある場合の図である。図８（Ｂ）は、鍵１００がエンド位置（最後まで押鍵した状態）にある場合の図である。鍵１００が押下されると、棒状可撓性部材１８５が回動中心となって曲がる。このとき、棒状可撓性部材１８５は、鍵の前方（手前方向）への曲げ変形が生じているが、側面鍵ガイド１５３による前後方向の移動の規制によって、鍵１００は前方に移動するのではなくピッチ方向に回動するようになる。そして、鍵側負荷部１２０がハンマ側負荷部２１０を押し下げることで、ハンマアセンブリ２００が回動軸５２０を中心に回動する。なお、図８の説明において、鍵側負荷部１２０における摺動面形成部１２１の各構成については、図４、５が参照される。
【００４８】
このとき、錘部２３０が上方に移動するため、錘部２３０の重さが鍵１００をレスト位置に戻す方向（上方）に移動させるように力を与える。また、負荷発生部（鍵側負荷部１２０およびハンマ側負荷部２１０）において、移動部材２１１は、摺動面ＦＳと接触しつつ移動するときに上部材１２１１を弾性変形させることによって、押鍵の方法に応じた様々な抵抗力を受けることになる。この抵抗力と錘部２３０の重さは、押鍵に対する負荷として現れる。また、移動部材２１１が段差部１２３１を乗り越えることで、クリック感が鍵１００に伝達される。ここでいうクリック感とは、アコースティックピアノにおけるエスケープメント機構の動作によって演奏者の指に押鍵速度に応じた衝突感とその後の抜け感を与えるタッチ感を示す。
【００４９】
錘部２３０が上側ストッパ４３０に衝突することによって、ハンマアセンブリ２００の回動が止まり、鍵１００がエンド位置に達する。このとき、ハンマアセンブリ２００の回動による慣性力により、移動部材２１１が慣性力により移動し続けて、ガイド面ＧＳに衝突する場合がある。この場合でも、移動部材２１１とガイド面ＧＳ（突出部１２３５）との接触面積が小さく弾性変形しやすいため、衝突音およびがたつき感を抑えることができる。また、センサ３００がハンマ駆動部２１５によって押しつぶされると、センサ３００は、押しつぶされた量（押鍵量）に応じた複数の段階で、検出信号を出力する。
【００５０】
一方、離鍵すると、錘部２３０が下方に移動することによって、ハンマアセンブリ２００が回動する。ハンマアセンブリ２００の回動に伴い、負荷発生部を介して鍵１００が上方に回動する。錘部２３０が下側ストッパ４１０に接触することで、ハンマアセンブリ２００の回動が止まり、鍵１００がレスト位置に戻る。このとき、移動部材２１１は、初期位置に戻る。また、移動部材２１１が摺動面ＦＳにおいてバウンドし、ガイド面ＧＳに衝突する場合がある。この場合でも、移動部材２１１とガイド面ＧＳ（突出部１２３５）との接触面積が小さく弾性変形しやすいため衝撃を効率的に吸収し、衝突音およびがたつき感を抑えることができる。
【００５１】
＜第２実施形態＞
第２実施形態では、下部材１２１３に設けられる突出部１２３５について、第１実施形態とは異なる形状について、複数の例を用いて説明する。
【００５２】
図９は、第２実施形態における下部材に設けられた突出部の形状の例を説明する図である。図９は、第１実施形態において説明された図５（Ｂ）に対応して示されている。なお、図５と同様に、移動部材２１１およびリブ部２１３が存在する領域を二点鎖線で示している。
【００５３】
図９（Ａ）に示す第１の例では、下部材１２１３Ａのガイド面ＧＳは、突出部１２３５Ａ以外の部分に摺動面ＦＳと平行な面を含む。突出部１２３５Ａをスリット１２５が延びる方向に見た場合（移動部材２１１の進行方向Ｄ１に沿って見た場合：図９に示す状態、以下同じ）においては、突出部１２３５Ａの形状が、摺動面ＦＳに最も近い部分において頂点を備える三角形になっている。また、第１実施形態では、突出部１２３５の一側面がスリット１２５の一側面と共通化されていたが、この例では、スリット１２５と突出部１２３５Ａとの間においても、摺動面ＦＳに平行な平面が含まれている。
【００５４】
図９（Ｂ）に示す第２の例では、下部材１２１３Ｂのガイド面ＧＳは、突出部１２３５Ｂ以外の部分に摺動面ＦＳと平行な面を含む。突出部１２３５Ｂをスリット１２５が延びる方向に見た場合においては、突出部１２３５Ｂの形状が、摺動面ＦＳに最も近い部分において摺動面ＦＳと平行な台形になっている。
【００５５】
図９（Ｃ）に示す第３の例では、下部材１２１３Ｃのガイド面ＧＳは、突出部１２３５Ｃ以外の部分に摺動面ＦＳと平行な面を含む。突出部１２３５Ｃをスリット１２５が延びる方向に見た場合においては、突出部１２３５Ｃの形状が、円弧形になっている。この円弧の中心は、ガイド面ＧＳまたはさらに下側（摺動面ＦＳとは反対側）に存在することが望ましい。
【００５６】
図９（Ｄ）に示す第４の例では、下部材１２１３Ｄのガイド面ＧＳに対して、溝形状の窪み部１２３６Ｄがスリットに沿って形成されている。窪み部１２３６Ｄをスリット１２５が延びる方向に見た場合においては、窪み部１２３６Ｄの形状が、摺動面ＦＳから最も遠い部分において頂点を備える三角形になっている。この窪み部１２３６Ｄによっても移動部材２１１とガイド面ＧＳとの接触面積が、移動部２１１と摺動面ＦＳとの接触面積よりも小さくなるようにすることができる。
【００５７】
図９（Ｅ）に示す第５の例では、下部材１２３１Ｅにおいてスリット１２５が形成されていない。突出部１２３５Ｅは、移動部材２１１の進行方向Ｄ１に沿って見た場合に下部材１２３１Ｅの中心部分（スリットが形成されていた位置）において突出している。突出部を移動部材２１１の進行方向Ｄ１に見た場合においては、突出部１２３５Ｅの形状は、摺動面ＦＳに最も近い部分において頂点を備える三角形になっている。
【００５８】
なお、以上の例の他にも、突出部は様々な形状を取り得る。例えば、突出部は、移動部材２１１の進行方向Ｄ１に沿って形成されている直線状に限らず、例えば、波状などの曲線を含むものであってもよい。また、移動部材２１１の移動範囲の全てにおいて突出部が存在する場合に限らず、一部のみに存在してもよい。一部のみに存在する場合には、移動部材２１１がガイド面ＧＳと接触しやすい領域に配置してもよい。この領域は、例えば、移動部材２１１の移動範囲の両端部（鍵１００がレスト位置およびエンド位置にあるときの移動部材２１１の位置）である。
【００５９】
さらに、移動部材２１１の進行方向Ｄ１に沿って見た場合に、突出部は、移動部材２１１の中心（リブ部２１３の位置）に対して対称に配置されていてもよいし、非対称に配置されていてもよい。また、突出部の数は、図９（Ｅ）に示すように１つであってもよいし、図９（Ａ）から図９（Ｄ）に示すように２つであってもよいし、さらに多くてもよい。突出部が複数存在するときにおいて、いずれか一つの突出部の形状が他の突出部の形状とは異なっていてもよい。
【００６０】
＜第３実施形態＞
第３実施形態では、突出部１２３５が下部材１２１３から突出しているのではなく、突出部が移動部材２１１から突出している場合について、複数の例について説明する。
【００６１】
図１０は、第３実施形態における移動部材に設けられた突出部の形状の第１の例を説明する図である。図１０（Ａ）は、第１実施形態において説明された図５（Ｂ）に対応した向きから見た場合の図、すなわち、移動部材の進行方向Ｄ１に沿って見た場合の図である。一方、図１０（Ｂ）は、移動部材をスケール方向に沿った方向に見た場合の図である。なお、摺動面形成部１２１Ｆ（上部材１２１１、下部材１２１３Ｆおよび側部材１２１５）が存在する領域を二点鎖線で示している。この例では、第１実施形態におけるリブ部２１３およびスリット１２５に相当する構成は存在しない。後述する図１１についても、同様である。
【００６２】
移動部材２１１Ｆは、円柱形状であり、ガイド面ＧＳ側において突出する突出部２１１３Ｆを備えている。突出部２１１３Ｆは、進行方向Ｄ１に沿って移動部材２１１Ｆから線状に突出している。この例では、移動部材２１１Ｆを図１０（Ａ）に示す方向に見た場合に、突出部２１１３Ｆの形状は、下部材１２１３Ｆに最も近い部分において頂点を備える三角形になっている。また、図１０（Ｂ）に示すように、この例では、移動部材２１１Ｆに対する突出部２１１３Ｆの突出量は、円の径方向によって突出量が異なっている。なお、突出部２１１３Ｆの形状は、第２実施形態で示した例と同様に、様々に取り得る。
【００６３】
このように、移動部材２１１Ｆの突出部２１１３Ｆによっても、下部材１２１３Ｆとの接触面積を少なくすることができる。一方、上述した実施形態とは異なり、突出部２１１３Ｆが弾性変形をするのではなく、下部材１２１３Ｆが弾性変形をする。したがって、突出部２１１３Ｆの存在によって下部材１２１３Ｆの一部に集中的に力が加わることによって弾性変形の程度が大きくなって、衝撃を効率的に吸収することができる。
【００６４】
図１１は、第３実施形態における移動部材に設けられた突出部の形状の第２の例を説明する図である。摺動面形成部１２１Ｆについては、図１０に示す例と同様である。移動部材２１１Ｇは、円柱形状から突出部２１１３Ｇを残して一部を除去した形状である。すなわち、移動部材２１１Ｇと突出部２１１３Ｇを合わせた外周部分が円柱の側面形状になっている。
【００６５】
図１２は、第３実施形態における移動部材に設けられた突出部の形状の第３の例を説明する図である。この例では、移動部材２１１Ｈにリブ部２１３Ｈが接続されている構成である。したがって、摺動面形成部１２１Ｈにおける下部材１２１３Ｈには、スリット１２５が存在する。突出部２１１３Ｈは、移動部材２１１Ｈからガイド面ＧＳ側に突出しているが、リブ部２１３Ｈにも接続されている。なお、突出部２１１３Ｈは、リブ部２１３Ｈにのみ接続され、移動部材２１１Ｈには直接接触しない形状であってもよい。また、突出部２１１３Ｈは、移動部材２１１Ｈにのみ接続され、リブ部２１３Ｈには直接接触しない形状であってもよい。
【００６６】
なお、以上の例の他にも、突出部は様々な形状を取り得る。例えば、突出部は、移動部材２１１の進行方向Ｄ１に沿って形成されている直線状に限らず、例えば、波状などの曲線を含むものであってもよい。さらに、移動部材２１１の進行方向Ｄ１に沿って見た場合に、突出部は、移動部材２１１の中心（リブ部２１３の位置）に対して対称に配置されていてもよいし、非対称に配置されていてもよい。また、突出部の数は、図１０および図１１に示すように１つであってもよいし、図１２に示すように２つであってもよいし、さらに多くてもよい。突出部が複数存在するときにおいて、いずれか一つの突出部の形状が他の突出部の形状とは異なっていてもよい。
【００６７】
＜第４実施形態＞
第４実施形態では、ガイド面ＧＳのうち突出部と摺動面ＦＳとの双方に移動部材が接触する場合の例について説明する。
【００６８】
図１３は、第４実施形態における下部材に設けられた突出部と移動部材との関係を説明する図である。図１３（Ａ）は、第２実施形態において説明した図９（Ｅ）に対応する図である。一方、図１３（Ｂ）は、図１３（Ａ）における構成において、移動部材２１１が、摺動面ＦＳと接触するだけでなく、常時、ガイド面ＧＳのうち突出部１２３５Ｅに接触する場合の例を示している。このとき、図１３（Ｂ）に示すように移動部材２１１は、ガイド面ＧＳのうち、摺動面ＦＳを平行な面には接触せず、突出部１２３５Ｅのみと接触する。この場合、突出部１２３５Ｅは、移動部２１１によって弾性変形している。また、移動部材２１１は、ガイド面ＧＳの方向に力を受けたとしても、突出部１２３５Ｅの弾性力によってガイド面ＧＳの全体とは接触しないようにすることが望ましい。
【００６９】
このような場合には、製造上の都合等により予期せず移動部材２１１の大きさが変化してしまうと突出部１２３５Ｅの弾性変形の量が異なってしまうが、接触面積が小さいため、移動部材２１１の移動に対する抵抗力への影響をできるだけ抑えることができる。
【００７０】
＜第５実施形態＞
第５実施形態では、移動部材が摺動面ＦＳに接触しつつ、移動部材の突出部がガイド面ＧＳに接触する場合の例について説明する。
【００７１】
図１４は、第５実施形態における移動部材に設けられた突出部と下部材との関係を説明する図である。図１４（Ａ）は、第３実施形態において説明した図１１（Ａ）に対応する図である。一方、図１４（Ｂ）は、図１４（Ａ）における構成において、移動部材２１１Ｇが、摺動面ＦＳと接触するだけでなく、常時、移動部材２１１Ｇの突出部２１１３Ｇがガイド面ＧＳに接触する場合の例を示している。このとき、図１４（Ｂ）に示すように移動部材２１１Ｇは、ガイド面ＧＳに対しては、突出部２１１３Ｇのみが接触し、その他の部分は接触しない。この場合、ガイド面ＧＳは、突出部２１１３Ｇによって弾性変形している。また、移動部材２１１Ｇは、ガイド面ＧＳの方向に力を受けたとしても、突出部２１１３Ｇに対するガイド面ＧＳからの弾性力によって突出部２１１３Ｇ以外がガイド面ＧＳに接触しないようにすることが望ましい。
【００７２】
このような場合には、製造上の都合等により予期せず移動部材２１１の大きさが変化してしまうと突出部２１１３Ｇがガイド面ＧＳを弾性変形させる量が異なってしまうが、接触面積が小さいため、移動部材２１１Ｇの移動に対する抵抗力への影響をできるだけ抑えることができる。
【００７３】
＜第６実施形態＞
第６実施形態は、鍵１００と鍵側負荷部１２０とが間接的に接続されている構成である。
【００７４】
図１５は、第６実施形態における鍵盤アセンブリの鍵とハンマとの接続関係を模式的に説明する図である。図１５においては、鍵、錘および負荷発生部の関係を模式的に表している。図１５（Ａ）は鍵１００Ｊがレスト位置（押鍵前）にあるときの図である。図１５（Ｂ）は、鍵１００Ｊがエンド位置（押鍵後）にあるときの図である。
【００７５】
鍵１００Ｊは、ＣＦ１を中心に回動する。ＣＦ１は、上述の実施形態によれば、例えば、棒状可撓性部材１８５に対応する。鍵側負荷部１２０Ｊと鍵１００Ｊとは、構造体１２０１Ｊを介して接続されている。構造体１２０１Ｊは、ＣＦ３を中心に回動する。構造体１２０１Ｊの一端は、鍵１００Ｊとリンク機構ＣＫ１を介して回転可能に接続されている。構造体１２０１Ｊの他端は、鍵側負荷部１２０Ｊと接続されている。ハンマ本体部２５０Ｅは、ＣＦ２を中心に回動する。ＣＦ２は、上述の実施形態によれば、回動軸５２０に対応する。錘部２３０Ｊは、ＣＦ２とハンマ側負荷部２１０Ｊとの間に配置されている。
【００７６】
これによって、押鍵すると鍵側負荷部１２０Ｊがハンマ側負荷部２１０Ｊの内部で移動しながら、錘部２３０Ｊを上側ストッパ４３０Ｊに衝突するまで上昇させる。すなわち、図１５（Ａ）に示す状態から図１５（Ｂ）に示す状態まで変化する。一方、離鍵すると錘部２３０Ｊは下降して下側ストッパ４１０Ｊに衝突するまで、鍵１００Ｊを押し上げる。すなわち、図１５（Ｂ）に示す状態から図１５（Ａ）に示す状態まで変化する。このように、鍵からハンマアセンブリまでの力の伝達経路に、負荷発生部が存在する構成であれば、鍵およびハンマアセンブリの少なくとも一方が負荷発生部に直接的に接続されていても、間接的に接続されていてもよく、様々な構成が取り得る。
【００７７】
＜変形例＞
以上、本発明の一実施形態について説明したが、本発明は以下のように、様々な態様で実施可能である。
【００７８】
（１）上述した実施形態においては、移動部材２１１にはリブ部２１３を介してセンサ駆動部２１５が接続されていたが、リブ部２１３が存在しなくてもよい。この場合には、移動部材２１１およびセンサ駆動部２１５はハンマ本体部２５０に接続されていればよい。また、この場合には、下部材１２１３にスリット１２５が形成されていなくてもよい。
【００７９】
（２）上述した実施形態においては、摺動面形成部１２１の全体が弾性体で形成されていたが、この場合に限られない。例えば、摺動面ＦＳが形成されている領域全体において弾性体が配置されてもよい。また、ガイド面ＧＳに形成された突出部のみが弾性体で形成されていてもよい。第１実施形態において説明した押鍵に対する抵抗力を得るためには、鍵１００の可動範囲内の全てにおいて、移動部材２１１が接触可能な摺動面ＦＳの範囲が、少なくとも弾性体で形成されていることが望ましい。なお、摺動面形成部において突出部が弾性体で形成されていなくても、移動部材との接触面積が小さくなることで、衝突音の低減効果はある。また、移動部材に突出部が存在する場合には、この突出部が弾性体で形成されていてもよい。
【００８０】
（３）上述した実施形態においては、鍵１００に摺動面ＦＳを含む鍵側負荷部１２０が接続され、ハンマアセンブリ２００に移動部材２１１を含むハンマ側負荷部２１０が接続されているが、この関係は逆であってもよい。逆の関係にすると具体的には、ハンマ側負荷部２１０において摺動面ＦＳを形成し、鍵側負荷部１２０において移動部材２１１を備えることになる。すなわち、移動部材２１１および摺動面ＦＳは、いずれか一方が鍵１００に接続され、他方がハンマアセンブリ２００に接続されていればよい。
【００８１】
（４）下部材１２１３（ガイド面ＧＳ）は、一部の領域または全てが存在しなくてもよい。一部の領域を残す場合には、移動部材２１１がガイド面ＧＳに衝突しやすい領域にガイド面ＧＳを残すようにすればよい。例えば、鍵１００をエンド位置まで押下した直後では、ハンマアセンブリ２００が慣性力で回転を続け、移動部材２１１が摺動面ＦＳから離れやすくなる。また、鍵１００がレスト位置に戻った直後では、ハンマアセンブリ２００が慣性力で回転を続けた結果、移動部材２１１が摺動面ＦＳに衝突して跳ね返る場合がある。これらの状況において、ガイド面ＧＳに移動部材２１１が接触しやすくなる。すなわち、ガイド面ＧＳは、少なくとも移動部材２１１の移動範囲の両端部において配置されていることが望ましい。この場合には、突出部１２３５はガイド面ＧＳが配置された場所に形成されていればよい。
【００８２】
（５）摺動面ＦＳにおいて、段差部１２３１が存在しなくてもよい。この場合にはクリック感を別の方法を用いて発生させることが望ましい。少なくとも負荷発生部においては、クリック感を発生させなくてもよい。クリック感を生じさせなくても、負荷発生部において摺動面ＦＳの弾性変形を用いて押鍵に対する抵抗力を与えることは可能である。
【符号の説明】
【００８３】
１…鍵盤装置、１０…鍵盤アセンブリ、７０…音源装置、８０…スピーカ、９０…筐体、１００，１００Ｊ…鍵、１００ｗ…白鍵、１００ｂ…黒鍵、１２０，１２０Ｊ…鍵側負荷部、１２０１Ｊ…構造体、１２１…摺動面形成部、１２１１…上部材、１２１３，１２１３Ａ，１２１３Ｂ，１２１３Ｃ，１２１３Ｄ，１２１３Ｅ…下部材、１２１５…側部材、１２３１…段差部、１２３３…凹部、１２３５，１２３５Ａ，１２３５Ｂ，１２３５Ｃ，１２３５Ｅ…突出部、１２３６Ｄ…窪み部、１２５…スリット、１５１…前端鍵ガイド、１５３…側面鍵ガイド、１８０…接続部、１８１…板状可撓性部材、１８３…鍵側支持部、１８５…棒状可撓性部材、２００…ハンマアセンブリ、２１０，２１０Ｊ…ハンマ側負荷部、２１１…移動部材、２１３…リブ部、２１５…センサ駆動部、２２０…軸支持部、２３０，２３０Ｊ…錘部、２５０，２５０Ｊ…ハンマ本体部、３００…センサ、４１０，４１０Ｊ…下側ストッパ、４３０，４３０Ｊ…上側ストッパ、５００…フレーム、５１１…前端フレームガイド、５１３…側面フレームガイド、５２０…回動軸、５８５…フレーム側支持部、７１０…信号変換部、７３０…音源部、７５０…出力部
【図１】
2018013708.tif 000003
【図２】
2018013708.tif 000004
【図３】
2018013708.tif 000005
【図４】
2018013708.tif 000006
【図５】
2018013708.tif 000007
【図６】
2018013708.tif 000008
【図７】
2018013708.tif 000009
【図８】
2018013708.tif 000010
【図９】
2018013708.tif 000011
【図１０】
2018013708.tif 000012
【図１１】
2018013708.tif 000013
【図１２】
2018013708.tif 000014
【図１３】
2018013708.tif 000015
【図１４】
2018013708.tif 000016
【図１５】
2018013708.tif 000017